(57)【要約】【課題】映像投射器を用いた移動手摺の表面への投射表示の内容をその時々の状況に応じて容易に変更することを可能にするとともに、変化に富んだ映像を移動手摺の表面に投射表示して、広告効果を高めることができる映像投射管理装置を得ることを目的とする。【解決手段】映像投射管理装置１は、マンコンベア２と、マンコンベア制御盤７と、複数の映像投射器５ａ〜５ｆと、複数の画像基データ１７を格納する第１のメモリ１８ａ、管理データを格納する第２のメモリ１８ｂ、投射仕様データを格納する第３のメモリ１８ｃおよび複数の上記画像基データ１７を複数の上記映像投射器５ａ〜５ｆのそれぞれの専用の画像データに補正する制御手段３ａを有する画像処理装置３と、上記第１のメモリ、上記第２のメモリおよび上記第３のメモリにデータを任意に書き込み可能な外部端末４と、を備え、上記画像処理装置３は、上記移動手摺１５の表面に映像を投射表示させている。【選択図】図１
2007119143.tif 000002
【特許請求の範囲】
【請求項１】
移動手摺が踏板に同期して走行するように構成されたマンコンベアと、
上記マンコンベアの運行を制御するマンコンベア制御盤と、
上記移動手摺の表面における投射領域が互いに重なり合うように該移動手摺の走行方向に一列に配列された複数の映像投射器と、
複数の画像基データを格納する第１のメモリ、複数の上記映像投射器から移動手摺の表面へ所望の映像を投射表示するために、複数の上記画像基データから投射表示する上記画像基データを指定し、指定された複数の上記画像基データに対して投射表示の形式を指示するための管理データを格納する第２のメモリ、複数の上記映像投射器毎に設定される投射仕様データを格納する第３のメモリおよび上記管理データと上記投射仕様データと上記マンコンベア制御盤から受信する上記マンコンベアの運行情報とに基づいて、上記第１のメモリに格納されている複数の上記画像基データを複数の上記映像投射器のそれぞれの専用の画像データに補正する制御手段を有する画像処理装置と、
上記第１のメモリ、上記第２のメモリおよび上記第３のメモリにそれぞれ複数の上記画像基データ、上記管理データおよび上記投射仕様データを任意に書き込み可能な外部端末と、
を備え、
上記画像処理装置は、上記制御手段により補正された上記専用の画像データを対応する複数の上記映像投射器のそれぞれに送信し、上記移動手摺の表面に映像を投射表示させることを特徴とする映像投射管理装置。
【発明の詳細な説明】
【技術分野】
【０００１】
この発明は、エスカレータ装置などのマンコンベアの移動手摺への映像投射とその制御を行う映像投射管理装置に関するものである。
【背景技術】
【０００２】
従来のエスカレータ装置では、利用者に広告などの情報を提供するのに、文字、図形、模様などによる情報を移動手摺（手すりベルト）の表面に直接記入し、その上から、移動手摺の全面全周に可撓性のある樹脂でコーティングをしていた（例えば、特許文献１参照）。
【０００３】
【特許文献１】実開昭６３−１６２７７７号公報
【発明の開示】
【発明が解決しようとする課題】
【０００４】
しかしながら、文字、図形、模様を用いた広告などの情報が、移動手摺に一旦記入されると、その広告情報の表示は樹脂等でコーティングされているため、即座の内容の変更に対応できない。
例えば百貨店に設置されたエスカレータ装置においては、店内の模様替えによって移動手摺への広告表示内容の変更が必要とされる場合や、タイムセールなどのイベント内容を移動手摺に記入したいときなど、その時々の状況変化に対応した広告表示を移動手摺に記入することができない。
また、移動手摺の広告表示内容は変化に富んだ表示ができないため情報量も少なく、エスカレータ装置利用者への広告効果は薄れる。
【０００５】
本発明は、上記の課題を解決するためになされたものであり、映像投射器を用いて、移動手摺の表面に広告を投射表示するようにし、投射表示の内容をその時々の状況に応じて容易に変更することを可能にするとともに、情報量の多い変化に富んだ映像を移動手摺の表面に投射表示して、広告効果を高めることができる映像投射管理装置を得ることを目的とする。
【課題を解決するための手段】
【０００６】
この発明による映像投射管理装置は、移動手摺が踏板に同期して走行するように構成されたマンコンベアと、上記マンコンベアの運行を制御するマンコンベア制御盤と、上記移動手摺の表面における投射領域が互いに重なり合うように該移動手摺の走行方向に一列に配列された複数の映像投射器と、複数の画像基データを格納する第１のメモリ、複数の上記映像投射器から移動手摺の表面へ所望の映像を投射表示するために、複数の上記画像基データから投射表示する上記画像基データを指定し、指定された複数の上記画像基データに対して投射表示の形式を指示するための管理データを格納する第２のメモリ、複数の上記映像投射器毎に設定される投射仕様データを格納する第３のメモリおよび上記管理データと上記投射仕様データと上記マンコンベア制御盤から受信する上記マンコンベアの運行情報とに基づいて、上記第１のメモリに格納されている複数の上記画像基データを複数の上記映像投射器のそれぞれの専用の画像データに補正する制御手段を有する画像処理装置と、上記第１のメモリ、上記第２のメモリおよび上記第３のメモリにそれぞれ複数の上記画像基データ、上記管理データおよび上記投射仕様データを任意に書き込み可能な外部端末と、を備え、上記画像処理装置は、上記制御手段により補正された上記専用の画像データを対応する複数の上記映像投射器のそれぞれに送信し、上記移動手摺の表面に映像を投射させている。
【発明の効果】
【０００７】
この発明によれば、第１のメモリに記録された画像基データが、第２のメモリの管理データおよび映像投射器毎に設定される投射仕様データに基づいて制御手段で補正され、補正されたデータに基づいた映像が、映像投射器からマンコンベアの移動手摺の表面に投射表示されるので、第１のメモリに書き込まれた画像基データのそれぞれに対して、投射表示の方向、速度およびサイズを任意に設定して移動手摺の表面に映像を投射表示することができる。したがって、マンコンベアの利用者に、情報量が増えて変化の富んだ映像を提供して広告効果をあげることができる。
また、第１のメモリおよび第２のメモリに書き込まれるデータは、外部端末からその時々の状況の変化に速やかに対応して変更することができ、変更内容に応じた映像を移動手摺の表面に投射表示することができる。
【発明を実施するための最良の形態】
【０００８】
以下、この発明を実施するための最良の形態について、図面を参照しつつ説明する。
図１はこの発明の実施の形態に係る映像投射管理装置の全体構成を模式的に説明するための図、図２は図１の部分拡大上面図、図３はこの発明の実施の形態に係る映像投射管理装置の画像処理装置の構成を説明するためのブロック図、図４はこの発明の実施の形態に係る映像投射管理装置の動作を説明するためのフロー図、図５はこの発明の実施の形態に係る映像投射管理装置の画像処理装置の記録手段に書き込まれる画像を示す平面図であり、図５の（ａ）〜図５の（ｄ）は記録手段３ｃに書き込まれる個々の画像の平面図を示し、図６はこの発明の実施の形態に係る映像投射管理装置の画像処理装置の選択手段に書き込まれるデータを説明するための図、図７はこの発明の実施の形態に係る映像投射管理装置によって移動手摺の表面に投射表示される映像の内容を説明するための平面図である。
【０００９】
映像投射管理装置１の構成を図１および図２を参照しつつ説明する。
映像投射管理装置１は、マンコンベアとしてのエスカレータ装置２、画像処理装置３、外部端末４および６つの映像投射器５ａ〜５ｆで構成される。映像投射器５ａ〜５ｆは、エスカレータ装置２の上方の側壁面１２に固定されている。
画像処理装置３は、エスカレータ装置２の外部に配設され、後述するエスカレータ本体部６の内部に配設されたマンコンベア制御盤としてのエスカレータ制御盤７と電気的に接続されている。さらに画像処理装置３は、映像投射器５ａ〜５ｆおよび外部端末４と電気的に接続されている。
【００１０】
次に、エスカレータ装置２の主な構成について説明する。
エスカレータ装置２には、上階側スプロケット８ａおよび下階側スプロケット８ｂがエスカレータ本体部６内の上階側および下階側にそれぞれ配設されている。
エスカレータ本体部６は詳細には図示しないが、エスカレータ装置２の骨組みとなるトラスと称されるフレームと、この側面に取り付けられた外側板となどにより中空体状に形成されている。
また、無端状の踏段チェーン９が、上階側スプロケット８ａおよび下階側スプロケット８ｂに掛け渡されて、走行自在に設けられている。
【００１１】
踏段チェーン９には、主に踏板１０および階段のけあげに相当するライザー１９から構成される踏段１３が多数連続して掛止めされて、無端コンベア状に配列されている。エスカレータ本体部６の上階側には、上階側スプロケット８ａを介して踏段チェーン９と共に踏段１３を回転走行せしめるモータ等の駆動機器１１が設けられている。
また、欄干１４が、コンベア状に配設された踏段１３を挟むようにエスカレータ本体部６の上方に立設されている。また、無端状の移動手摺１５が欄干１４の上部に配設されて、駆動機器１１によって、踏段１３と同期した走行がなされる。
また、エスカレータ装置２の走行を制御するエスカレータ制御盤７がエスカレータ本体部６の内部に、駆動機器１１に近接して配設されている。
なお、図２中、後述する座標の原点として点Ｐが設定されている。
【００１２】
次に、画像処理装置３の構成について図３を参照しつつ説明する。
図３において、画像処理装置３は、制御手段３ａ、選択手段３ｂ、記録手段３ｃ、データ変換手段３ｄおよび通信手段３ｅにより構成される。
制御手段３ａは、ＣＰＵ、第３のメモリ１８ｃとしてのＲＡＭおよび制御プログラムが書き込まれたＲＯＭなどが備えられており、外部との間でデータの送受信やデータ処理を行うことができる。
データ変換手段３ｄも制御手段３ａと同様にＣＰＵ、ＲＡＭおよび制御プログラムが書き込まれたＲＯＭなどが備えられており、データの送受信やデータ処理を行うことができる。選択手段３ｂは、第２のメモリ１８ｂとしてのＲＡＭまたはハードディスク（ＨＤ）などを備えており、外部からデータの書き込みや取り出しを行うことができる。
また、記録手段３ｃは、第１のメモリ１８ａとしてのＲＡＭまたはハードディスク（ＨＤ）などを備えており、外部からデータの書き込みや取り出しを行うことができる。また、通信手段３ｅは画像処理装置３の内部と外部との間のデータのやりとりを媒介するインターフェイスである。
【００１３】
また、制御手段３ａは、選択手段３ｂ、記録手段３ｃおよびデータ変換手段３ｄに電気的に接続されて、それぞれの手段との間でデータの送受信ができるようになっている。
また、制御手段３ａは、エスカレータ制御盤７と通信手段３ｅを介して電気的に接続されて、例えばエスカレータ装置２の踏段１３の移動速度や走行方向などの運行情報や、エスカレータ装置２の運転開始信号および運転停止信号などを受信できるようになっている。
【００１４】
また、選択手段３ｂおよび記録手段３ｃは、外部端末４と通信手段３ｅを介して電気的に接続されている。
さらにまた、データ変換手段３ｄは映像投射器５ａ〜５ｆに電気的に接続されている。
映像投射器５ａ〜５ｆは、第１のメモリ１８ａおよび第２のメモリ１８ｂに書き込まれるデータに基づいて移動手摺１５に投射表示を行う。
【００１５】
次に、映像投射器５ａ〜５ｆの配設状態について図１および図２を参照しつつ説明する。一台の映像投射器では、映像投射領域が広すぎるため、移動手摺１５の表面全体に映像を投射表示できない。移動手摺１５の表面全体に映像を投射表示するために、６つの映像投射器５ａ〜５ｆが、それぞれの映像投射領域が移動手摺１５の表面に沿って連結されるように移動手摺１５の走行方向に一列に配列されている。これにより移動手摺１５の表面全体が映像投射器５ａ〜５ｆの映像投射領域として網羅される。例えば、映像投射器５ａの投射による移動手摺１５の表面での映像投射領域の下階側は、映像投射器５ｂの投射による映像投射領域の上階側と重なりをもつように映像投射器５ａおよび５ｂは配列されている。同様に、上階側の映像投射器の５ｂ〜５ｅのいずれかの投射による映像投射領域の下階側は、隣り合う下階側の映像投射器５ｃ〜５ｆの投射領域の上階側と重なりをもつように映像投射器５ｃ〜５ｆが配列されている。
【００１６】
次に、第１のメモリ１８ａおよび第２のメモリ１８ｂに書き込まれるデータについて説明する。
第１のメモリ１８ａに書き込まれるデータは、映像投射器５ａ〜５ｆが投射表示するのに使用される画像基データ１７である。画像基データ１７は外部端末４によって、第１のメモリ１８ａに書き込まれる。例えば、図５の（ａ）〜図５の（ｄ）で示した画像Ａ〜画像Ｄのデータがそれぞれ画像基データ１７として第１のメモリ１８ａに書き込まれる。
【００１７】
第２のメモリ１８ｂに書き込まれるデータは、選択画像データ１６ａ、映像内容データ１６ｂ、表示設定データ１６ｃ、表示方法データ１６ｄおよびスクロール速度データ１６ｅであり、これらを管理データと定義する。
選択画像データ１６ａは、第１のメモリ１８ａに書き込まれている複数の画像基データ１７のうち、どの画像基データ１７を映像投射器５ａ〜５ｆから移動手摺１５の表面に投射表示するのかを制御手段３ａに指示するためのデータである。そして、選択画像データ１６ａ毎に、映像内容データ１６ｂ、表示設定データ１６ｃ、表示方法データ１６ｄおよびスクロール速度データ１６ｅが設定される。
【００１８】
映像内容データ１６ｂは、選択画像データ１６ａで指定された画像基データ１７をどのように組み合わせて使うかを制御手段３ａに指示するものである。例えば、第１のメモリ１８ａに書き込まれている個別の画像基データ１７をそのまま単体で用いるか、もしくは複数の画像基データ１７を配列したものを１まとめにして画像グループとして用いるのかなどを制御手段３ａに指示をするデータである。画像グループとして用いる場合は、配列方法もデータとして書き込まれる。
【００１９】
表示設定データ１６ｃは、選択画像データ１６ａで指定された画像基データ１７を移動手摺１５の表面のどの位置にいかなるサイズで映像投射するかを制御手段３ａに指示するものである。例えば、映像投射位置は、移動手摺１５の幅方向をＸ軸、移動手摺１５の走行方向をＹ軸として、移動手摺１５の上方から見た映像投射領域の一点を原点とすれば２次元座標として表すことができる。例えば、前述の図２中で示したＰ点を座標の原点に設定できる。
【００２０】
表示方法データ１６ｄは、選択画像データ１６ａで指定された画像基データ１７を、いつ、どのように投射表示させるのかを制御手段３ａに指示するものである。例えば、９時から２時間、繰り返して表示することを制御手段３ａに指示するものである。
スクロール速度データ１６ｅは、選択画像データ１６ａで指定された画像基データ１７を、どの方向にいかなる速度でスクロールするのかを、制御手段３ａに指示するものである。
【００２１】
以下、第２のメモリ１８ｂに書き込まれた管理データの具体例を、図６を参照しつつ説明する。
選択画像データ１６ａでは、画像Ａ、画像Ｂは単体で、画像Ｃと画像Ｄがグループ化されてそれぞれ指定されている。
図５の（ａ）に図示した画像Ａは、座標（０，０）を始点として、フルサイズで、９：００〜１１：００の間、１０ｍ／ｍｉｎでＹ方向にスクロールして繰り返し表示することを制御手段３ａに指示するデータとして第２のメモリ１８ｂに書き込まれている。ここで、フルサイズとは、移動手摺１５の表面全体の面積のことをいう。
【００２２】
また、図５の（ｂ）で図示した画像Ｂは、座標（３０、０）を始点として、Ｙ方向５０ｍｍ、Ｘ方向５０ｍｍのサイズで、９：００〜１１：００の間、Ｙ方向に経過時間とともに正弦波の速度変動でスクロールするように繰り返し表示することを制御手段３ａに指示するデータとして第２のメモリ１８ｂに書き込まれている。
【００２３】
また、図５の（ｃ）および（ｄ）で示した画像Ｃおよび画像ＤをＹ方向に連結してグループ化したものが、９：００〜１７：００の間、座標（５０，１２００）を始点として、Ｘ方向５０ｍｍ、Ｙ方向３００ｍｍのサイズで、３０ｍ／ｍｉｎの速度で−Ｙ方向にスクロールして繰り返し表示することを制御手段３ａに指示するデータとして第２のメモリ１８ｂに書き込まれている。
【００２４】
以上、説明したように、管理データは、映像投射器５ａ〜５ｆから移動手摺１５の表面へ所望の映像を投射表示するために、画像基データ１７から投射表示する上記画像基データ１７を指定したり、指定された画像基データ１７に対して、どのような組み合わせで、いつ、どの位置に、いかなるサイズでどの方向にどの速度でスクロールして投射表示を行うのかなどの投射表示の形式を指示するものである。
なお、第１のメモリ１８ａに書き込まれる画像基データ１７および第２のメモリ１８ｂに書き込まれる管理データは外部端末４から通信手段３ｅを介して書き込まれるので、日時、時間帯、催し物等の状況の変化に対応して、書き込み内容を速やかに変更することが可能である。
【００２５】
次に、制御手段３ａで行われるデータの補正について述べる。
第１のメモリ１８ａに書き込まれた画像基データ１７および第２のメモリ１８ｂに書き込まれた管理データは、制御手段３ａによって読み込まれて、第３のメモリ１８ｃに格納される。読み込まれたデータは、制御手段３ａによって、移動手摺１５の走行方向などの運行情報データや映像投射器５ａ〜５ｆ毎に設定される投射仕様を加味した以下に説明する補正がなされる。投射仕様には、移動手摺１５の表面と映像投射器５ａ〜５ｆとの距離や、映像投射器５ａ〜５ｆの間隔などが含まれ、あらかじめ投射仕様データが、制御手段３ａのＲＯＭに書き込まれている。
【００２６】
前述のように、隣り合う映像投射器５ａおよび映像投射器５ｂの映像投射領域は、移動手摺１５の表面で重なりが生じている。この重なった映像投射領域で、投射される映像が重複表示されないように、画像基データ１７が、管理データ、運行情報データおよび投射仕様データに基づいて制御手段３ａで補正される。
【００２７】
例えば図５（ｂ）のカニの映像を移動手摺１５のＹ方向に沿ってスクロールさせたい場合、カニの映像は、隣り合う映像投射器５ａおよび映像投射器５ｂのそれぞれがカバーする映像投射領域の重なり合う部分を移動していくことになる。この映像投射領域が重なり合う領域でもカニが連続して移動しているように見えるように制御手段３ａで、映像投射器５ａおよび５ｂの投射仕様データに合わせた補正が行われる。また、他の隣り合う映像投射器５ｃ〜５ｆについても同様のデータ補正が行われる。
【００２８】
また、映像投射器５ａ〜５ｆの投射仕様データに合わせて、投射表示箇所に映像の焦点を合わせるための補正なども同時に行われる。
これらの補正は、映像投射器５ａ〜５ｆのそれぞれについて個別に補正されて、個別の補正データとしてデータ変換手段３ｄに送られる。
【００２９】
次に、データ変換手段３ｄで行われるデータの変換について説明する。
データ変換手段３ｄは、映像投射器５ａ〜５ｆのそれぞれについて個別に補正された補正データを一つのデータに変換し、映像投射器５ａ〜５ｆに送信する。映像投射器５ａ〜５ｆ毎に設定されたデータを別々に送信してもよいが、データを一まとめにして通信することで、映像投射器５ａ〜５ｆとデータ変換手段３ｄとの間の配線が簡略化される。
【００３０】
次に、上記のように構成および接続された映像投射管理装置１が移動手摺１５の表面に映像を投射表示する際の制御について図４のフロー図に基づいて述べる。なお、図４中、本文中のステップ１０１〜ステップ１１４を便宜上Ｓ１０１〜Ｓ１１４と記す。
制御手段３ａはエスカレータ制御盤７の運転開始信号をチェックし、エスカレータ装置２が運転中であるか否かを判断する。（ステップ１０１）。
【００３１】
ステップ１０１にて、エスカレータ装置２が運転中でない場合、制御手段３ａはエスカレータ装置２が運転中であると判断するまでステップ１０１を繰り返す。
ステップ１０１で、制御手段３ａが、エスカレータ装置２は運転中であると判断した場合、制御手段３ａは、第１のメモリ１８ａおよび第２のメモリ１８ｂにデータが書き込まれているか否かの確認を行う（ステップ１０２）。
【００３２】
制御手段３ａは、第１のメモリ１８ａおよび第２のメモリ１８ｂのデータが書き込まれていると判断した場合、ステップ１０４に進む。もし、第２のメモリ１８ｂおよび第１のメモリ１８ａにデータが書き込まれていない場合、制御手段３ａは外部端末４にデータの書き込みを要求し、外部端末４から第２のメモリ１８ｂおよび第１のメモリ１８ａにデータの書き込みを行う（ステップ１０３）。第１のメモリ１８ａおよび第２のメモリ１８ｂにデータが書き込まれたら、ステップ１０４へ進む。
ステップ１０４では、制御手段３ａはエスカレータ制御盤７から運行情報データを受信する。次に、制御手段３ａは、第２のメモリ１８ｂおよび第１のメモリ１８ａのデータを読みこむ（ステップ１０５）。
【００３３】
制御手段３ａは、第１のメモリ１８ａおよび第２のメモリ１８ｂから読み込んだデータを、ステップ１０４で受信したエスカレータ制御盤７の運行情報データおよび映像投射器５ａ〜５ｆ毎に設定される投射仕様に合わせてデータを補正し、補正されたデータをデータ変換手段３ｄへ送信する（ステップ１０６）。
データ変換手段３ｄでは、映像投射器５ａ〜５ｆのそれぞれに個別に補正された補正データを一つのデータに変換し、映像投射器５ａ〜５ｆに送信する（ステップ１０７）。
映像投射器５ａ〜５ｆは、データ変換手段３ｄから受信したデータに基づいた映像を移動手摺１５の表面に投射表示する（ステップ１０８）。
【００３４】
次に、制御手段３ａはエスカレータ制御盤７の運転停止信号をチェックし、エスカレータ装置２が運転を停止したか否かを判断する（ステップ１０９）。
ステップ１０９で制御手段３ａがエスカレータ装置２の運転が停止されたと判断した場合、制御手段３ａは、映像投射器５ａ〜５ｆへ映像投射停止信号を送信し、映像投射器５ａ〜５ｆは移動手摺１５への投射表示を停止する（ステップ１１０）。
ステップ１０９で制御手段３ａがエスカレータ装置２の運転が停止していないと判断した場合、つまり制御手段３ａがエスカレータ装置２の運転が継続していると判断した場合、制御手段３ａは現状の制御を維持したまま映像投射管理装置１の運転は継続される（ステップ１１１）。
【００３５】
次に、制御手段３ａは、第１のメモリ１８ａおよび第２のメモリ１８ｂにアクセスし、外部端末４によって第１のメモリ１８ａおよび第２のメモリ１８ｂに書き込まれたデータが更新されたか否かを判断する（ステップ１１２）。
もし、第１のメモリ１８ａおよび第２のメモリ１８ｂ内に書き込まれたデータの更新がなされている場合、ステップ１０５に戻り映像投射管理装置１の運転を継続する。もしデータの更新がなされていない場合はステップ１１３に進む。
【００３６】
次に、制御手段３ａは、エスカレータ制御盤７の運行情報データの変更があったか否かを判断する（ステップ１１３）。
運行情報データの更新がなされていない場合はステップ１０９のフローに進み、以降のステップ１０９〜ステップ１１３の動作を繰り返す。
運行情報データの更新がなされていた場合は、制御手段３ａは、エスカレータ制御盤７の運行情報データを読み取り（ステップ１１４）、ステップ１０６へ戻る。
【００３７】
次に、図５の画像が画像基データ１７として第１のメモリ１８ａに、また図６の管理データが第２のメモリ１８ｂにそれぞれ書き込まれた状態で、上記のステップ１０１〜ステップ１０８のフローに従って、移動手摺１５の表面に映像を投射表示することを仮定する。１０：００の時点では、図７で示すように、移動手摺１５の表面には、映像投射器５ａ〜５ｆから、砂浜の波打ち際をカニがＹ方向に歩き、海上で広告が−Ｙ方向へスクロールするように映像が投射表示される。
このように、第１のメモリ１８ａに書き込まれた画像基データ１７のそれぞれに対して投射表示の方向、速度およびサイズを任意に設定して移動手摺１５の表面に映像を投射表示することができる。したがって、エスカレータ装置２の利用者にとっては、情報量が増えて変化の富んだ映像が提供されるので、広告効果があがる。
【００３８】
この発明の映像投射管理装置１では、第１のメモリ１８ａに記録された画像基データ１７が、第２のメモリ１８ｂの管理データおよび映像投射器５ａ〜５ｆ毎に設定される投射仕様に基づいて、制御手段３ａおよびデータ変換手段３ｄで補正、変換される。変換されたデータは映像投射器５ａ〜５ｆに送信されて、映像投射器５ａ〜５ｆから移動手摺１５の表面に投射表示されている。よって、第１のメモリ１８ａに書き込まれた画像基データ１７のそれぞれに対して、投射表示の方向、速度およびサイズを任意に設定して移動手摺１５の表面に映像を投射表示することができる。したがって、エスカレータ装置２の利用者にとっては、情報量が増えて変化の富んだ映像が提供されるので、広告効果があがる。
【００３９】
また、第１のメモリ１８ａおよび第２のメモリ１８ｂに書き込まれるデータは、外部端末４から通信手段３ｅを介して書き込まれるので、日時、時間帯、催し物等、その時々の状況の変化に速やかに対応して変更することができ、変更内容に応じた映像を移動手摺１５の表面に投射表示することが可能である。
【００４０】
なお、この発明では、マンコンベアとしてエスカレータ装置２をあげたが、エスカレータ装置２に限定するものではなく、動く歩道など他のマンコンベアを用いてもよい。
また、映像投射器５ａ〜５ｆの配設数は６としたが、配設数は限定されるものではなく、移動手摺１５の長さなどに応じて適宜設定すればよい。
【００４１】
なお、制御手段３ａ、選択手段３ｂ、記録手段３ｃおよびデータ変換手段３ｄをそれぞれ別々の手段として設けたが、各手段の機能は別々に設けることに限定されるものではなく、例えば第１のメモリ〜第３のメモリを一つのメモリに代替させることも可能である。
【図面の簡単な説明】
【００４２】
【図１】この発明の実施の形態に係る映像投射管理装置の全体構成を模式的に説明するための図である。
【図２】図１の部分拡大上面図である。
【図３】この発明の実施の形態に係る映像投射管理装置の画像処理装置の構成を説明するためのブロック図である。
【図４】この発明の実施の形態に係る映像投射管理装置の動作を説明するためのフロー図である。
【図５】この発明の実施の形態に係る映像投射管理装置の画像処理装置の記録手段に書き込まれる画像を示す平面図である。
【図６】この発明の実施の形態に係る映像投射管理装置の画像処理装置の選択手段に記入されるデータを説明するための図である。
【図７】この発明の実施の形態に係る映像投射管理装置によって移動手摺の表面に投射表示される映像の内容を説明するための平面図である。
【符号の説明】
【００４３】
１  映像投射管理装置、２  エスカレータ装置（マンコンベア）、３  画像処理装置、３ａ  制御手段、４  外部端末、５ａ〜５ｆ  映像投射器、７  エスカレータ制御盤（マンコンベア制御盤）、１０  踏板、１５  移動手摺、１７  画像基データ、１８ａ  第１のメモリ、１８ｂ  第２のメモリ、１８ｃ  第３のメモリ。
【図１】
2007119143.tif 000003
【図２】
2007119143.tif 000004
【図３】
2007119143.tif 000005
【図４】
2007119143.tif 000006
【図５】
2007119143.tif 000007
【図６】
2007119143.tif 000008
【図７】
2007119143.tif 000009